(57)【要約】【課題】本発明は、使い捨てカイロの包装形態を二重包装から一重包装にしても内容物が発熱しない形態とし、特に、表裏の樹脂フィルムにより内容物が包まれており、かつ裏面フィルムには内容物が漏れない程度の多数の微細孔を設けた使い捨てカイロ包装材を提供する。【解決手段】適宜トレイ形状や袋状等に形成された表面フィルムに炭、鉄粉、吸水性素材等の内容物を充填した後、裏側を裏面フィルムで密封してなる使い捨てカイロ包装材であり、前記表面フィルム（１１）が、内面にシーラント層を有するバリア性フィルム等からなり、前記裏面フィルム（１２）が、イージーピールフイルム等で構成され、該内容物（３０）を充填した後表面フィルムを裏面フィルム上に熱シールにより密封した構成とし、前記裏面フィルムには多数の外気取り入れ用の微細孔（１５）を設けたことを特徴とする使い捨てカイロ包装材である。【選択図】図１
2006158689.tif 000002
【特許請求の範囲】
【請求項１】
適宜トレイ形状や袋形状等に形成された表面フィルムに炭、鉄粉、吸水性素材等の内容物を充填した後、裏側を裏面フィルムで密封してなる使い捨てカイロ包装材であって、前記表面フィルム（１１）が、内面にシーラント層を有するバリア性フィルム等からなり、前記裏面フィルム（１２）は、イージーピールフイルム等で構成され、該内容物（３０）を充填した後、裏面フィルムで表面フィルム底部を密封した構成からなり、前記裏面フィルムには多数の外気取り入れ用の微細孔（１５）が設けられていることを特徴とする使い捨てカイロ包装材。
【請求項２】
前記裏面フィルム（１２）は、トレイ形状や袋形状等に形成された表面フィルム（１１）より一回り大きく、かつ表面フィルムの周囲に余白部（１２ａ，１２ａ）を設けたことを特徴とする請求項１に記載の使い捨てカイロ包装材。
【請求項３】
前記トレイ形状や袋形状等に形成された表面フィルム（１１）の縦中心部近傍から裏面フィルム（１２）を内側にして二つに折り畳み、該裏面フィルムの三方の余白部（１２ａ，１２ａ）どうしを熱シールにより密封したことを特徴とする請求項１及び請求項２に記載の使い捨てカイロ包装材。
【発明の詳細な説明】
【技術分野】
【０００１】
本発明は、二重に包装された従来の使い捨てカイロに対して、特に、包装を折り畳み形式にしたことにより一重包装を可能とした折り畳み式使い捨てカイロ包装材に関するものである。
【背景技術】
【０００２】
従来の使い捨てカイロは、紙や樹脂繊維等で作成したカイロ包装袋に、炭、鉄粉、吸水性素材等の内容物を充填したカイロ本体と、それを外気から遮断して、発熱を防ぐための外袋との構成になっている。すなわち、内容物を充填したカイロ本体を外袋にいれた二重包装形式で流通していることが知られている。
【０００３】
この二重に包装された使い捨てカイロの使用方法は、外袋からカイロ本体をとりだすことにより、空気中の酸素と内容物が反応して発熱するようになっている。また、発熱を促進させるためにカイロ本体を手で揉む等をすることにより、内容物がよく混合されて薄く形成された本体の袋の繊維間等を通じて一段と早く発熱するものである。
【０００４】
下記に特許文献を記す。
【特許文献１】特開２００２−３４５８７５号公報
【特許文献２】特開２００２−３６０６２４号公報
【特許文献３】特開平０７−１９４６４２号公報
【発明の開示】
【発明が解決しようとする課題】
【０００５】
しかしながら、従来の使い捨てカイロは本体の発熱を防ぐための外袋が必要であり、使用時にはこの外袋が不必要となり、ゴミとなってしまう。さらに、内袋（カイロ本体）と外袋と二重に包まれていることも包装材コストを上げる原因になっていた。
【０００６】
そこで本発明は、上記の問題点を解決するためになされたもので、使い捨てカイロの包装形態を二重包装から一重包装にしても内容物が発熱しない形態とし、特に、表裏の樹脂フィルムにより内容物が包まれており、かつ裏面フィルムには内容物が漏れない程度の多数の微細孔を設けて、さらに裏面側を内側にして二つに折り畳んだ形態の使い捨てカイロ包装材を提供するものである。
【課題を解決するための手段】
【０００７】
本発明の請求項１は、適宜トレイ形状や袋形状等に形成された表面フィルムに炭、鉄粉、吸水性素材等の内容物を充填した後、裏側を裏面フィルムで密封してなる使い捨てカイロ包装材であって、前記表面フィルム（１１）が、内面にシーラント層を有するバリア性フィルム等からなり、前記裏面フィルム（１２）は、イージーピールフイルム等で構成され、該内容物（３０）を充填した後、裏面フィルムで表面フィルム底部を密封した構成からなり、前記裏面フィルムには多数の外気取り入れ用の微細孔（１５）が設けられていることを特徴とする使い捨てカイロ包装材である。
【０００８】
請求項２は、請求項１に記載の使い捨てカイロ包装材において、
前記裏面フィルム（１２）が、トレイ形状や袋形状等に形成された表面フィルム（１１）より一回り大きく、かつ表面フィルムの周囲に余白部（１２ａ，１２ａ）を設けたことを特徴とするものである。
【０００９】
請求項３は、請求項１及び請求項２に記載の使い捨てカイロ包装材において、
前記トレイ形状や袋形状等に形成された表面フィルム（１１）の縦中心部近傍から裏面フィルム（１２）を内側にして二つに折り畳み、該裏面フィルムの三方に突出した余白部（１２ａ，１２ａ）どうしを熱シールにより密封したことを特徴とするものである。
【発明の効果】
【００１０】
本発明における使い捨てカイロ包装材は、表裏のフィルムに発熱体等の内容物が包まれており、かつ裏面のフイルムには外気取り入れ用の微細孔が多数設けられているものである。この裏面フィルムを内側にして二つに折り畳み、表面フィルムの周囲の裏面フィルム余白部どうしをシールすることにより、発熱体等が外気に触れなくなる。さらに、使用時には余白部を接着したシール部分を剥離することにより、裏面フィルムの外気取り入れ微細孔を開放することで、外気中の酸素等を取り入れ内容物を発熱させると共に、熱が放出される特徴を有するものである。さらに、従来における内袋と外袋との二重包装が改善され包装材のコストダウンになる等の優れた効果を奏する。
【発明を実施するための最良の形態】
【００１１】
図に基づき発明を実施するための最良の形態を説明する。
【００１２】
図１は、本発明の一実施例における使い捨てカイロ包装材を示す断面説明図である。図２は、本発明における上方から見た使い捨てカイロ包装材で、（Ａ）は、表面フィルム及び裏面フィルムの余白部を示す平面説明図であり、（Ｂ）は、微細孔を設けた裏面フィルムの平面説明図である。図３は、本発明の内容物が充填された使い捨てカイロ包装材の形状状態を示す説明図である。
【００１３】
本発明における使い捨てカイロ包装材は、図１に示すように、適宜トレイ形状或いは袋形状等に形成された表面フィルム（１１）に炭、鉄粉、吸水性素材等の発熱体である内容物を充填した後、この裏側を裏面フィルム（１２）で密封したカイロ包装材（１０）である。また、表面フィルム（１１）は内面にシーラント層を有するバリア性フィルム等からなり、さらに裏面フィルム（１２）は、イージーピールフイルム等で構成されたもので、トレイ形状や袋状等に形成された表面フィルムに内容物（３０）を充填した後、表面フィルムを裏面フィルム上に熱シールにより密封した構成であり、この裏面フィルム（１２）には多数の外気取り入れ用のピンホール状の微細孔（１５）を設けたものである。
【００１４】
次に、図２（Ａ）に示すように、前記裏面フィルム（１２）は、トレイ形状或いは袋形状等に形成された表面フィルム（１１）の周囲にはみ出すような、適宜大きさの余白部（１２ａ，１２ａ）を設けたものである。また、図２（Ｂ）に示すように、裏面フィルム（１２）には多数の外気取り入れ用の微細孔（１５）を設けたもので、このピンホール状の微細孔は内容物の発熱素材である炭粉、鉄粉等が漏れない程度の大きさであれば特に限定はしない。
【００１５】
次に、図３に示すように、使い捨てカイロ包装材（１０）の完成品の状態を示すものであり、トレイ形状或いは袋形状等に形成された表面フィルム（１１）内に内容物を充填し裏面フィルムで密封した後、この表面フィルムを縦に中心部近傍から裏面フィルム（１２）を内側にした状態で二つに折り畳む。この際に、表面フィルムより突出した裏面フィルムの三方の余白部（１２ａ，１２ａ）どうしを熱シールにより密封することにより、裏面フィルムに設けた外気取り入れ用の微細孔（１５）は外気に触れない状態で密封されることになる。
【００１６】
すなわち、表面フィルムを微細孔（１５）を設けた裏面フィルムにシールして二つに折
り畳むことで、三方に突出した余白部（１２ａ，１２ａ）のみを重ね合わせて熱シールをする。それにより裏面フィルムに空けた微細孔が外気と遮断されて、気密性を保ち発熱を防ぐことになる。使用時には、シールされた余白部分を剥離させて、裏面フィルムに設けた外気取り入れ用の微細孔を開放させて、空気を取り入れ発熱させるものである。
【００１７】
次に、表面フィルム（１１）の詳細は、バリア性フィルムを基本として、内面にシーラント層を有するものが良い。シーラントとしてはカイロを発熱させる場合を考慮して、この発熱温度よりも融点の高いものが望ましいが、ある程度低温シール性が無いと充填機スピードに制約がでるので、融点が７０℃から１６０℃程度のものが望ましい。バリアフィルムとしては、アルミ箔、バリア蒸着フィルム、ポリ塩化ビニリデンコートフィルムを使用することができる。また、シーラント層の外側に内容物（中身）が見えないように、印刷等による隠蔽層やアルミ蒸着フィルムを用いることでも構わない。
【００１８】
次に、裏面フィルム（１２）は、基本的に表面フィルムと同様の構成であるが表面フィルムと異なる点は、
・発熱開始時に空気中の酸素を取り入れるための空気孔（微細孔）を設けておく。
【００１９】
・最外層はお互いに接着可能であり、要事にはその部分等が剥がれる（剥離可能）素材を用いる。
【００２０】
・最外層材質は特に限定はしないが、既存のイージーピールフィルム等を使用することが可能である。或いは、裏面フィルム最外層と疑似接着するフィルムを挟み込んで縁シール（余白部シール）する事も可能である。なお、バリア性のないフィルムであっても良い。
【００２１】
なお、空気中の酸素を取り入れるための空気孔の孔空け加工は内容物より小さい孔を、微小な針り等で物理的に空けたり、放電やレーザー等で焼き空けたりする方法を使用することができる。
【００２２】
具体的実施例を挙げて、それを比較評価する。
【実施例１】
【００２３】
実施例１は、表面フィルムとして厚み２０μｍ塩化ビニリデンコートナイロン（ＫＮｙ）と蒸着リニア低密度ポリエチレン（ＶＭＬＬＤＰＥ）をドライラミネートして、前記の蒸着リニア低密度ポリエチレンのポリエチレン（ＰＥ）面にリニア低密度ポリエチレンを３０μｍエキストルーダーラミを行う。
【００２４】
裏面フィルムは、２０μｍナイロン（Ｎｙ）と２０μｍ蒸着リニア低密度ポリエチレン（ＶＭＬＬＤＰＥ）をドライラミネートして、前記の表面フィルムと同様に、蒸着リニア低密度ポリエチレンのポリエチレン（ＰＥ）面にリニア低密度ポリエチレン３０μｍのエキストルーダーラミを行う。さらに、ナイロン面にポリエチレン系イージーピールフィルムのドライラミネートを行う。その後、内容物が零れない程度のピンホール（微細孔）を空けて裏面フィルムとする。
【００２５】
この表面フィルム／裏面フィルムを用いて、「炭、鉄粉、吸水性材料」等のカイロ内容物を充填して、四隅をシールする（サイズ・５０×８０ｍｍ角）。その後、裏面フィルム（微細孔が空いている方）を内側にして、３方のイージーピール面（余白部）どうしをシールすることでカイロ包装材が得られた。
【実施例２】
【００２６】
実施例２における、表面フィルムは実施例１の表面フィルムと同一のもので、また裏面フィルムも実施例１の表面フィルムと同様のもの（実施例２の表面フィルムと同一）とする。その後、内容物が零れない程度のピンホール（微細孔）を空けて裏面フィルムとするものである。この表面フィルム／裏面フィルムを用いて、「炭、鉄粉、吸水性材料」等のカイロ内容物（発熱体）を充填して、四隅をシールする（サイズ・５０×８０ｍｍ角）。その後、カイロの半分のサイズ（５０×４０ｍｍ）の裏面フィルム最外層のナイロン（Ｎｙ）に対して易開封のイージーピールフィルムを挟み込んで３方の余白部どうしをシールすることで使い捨てカイロ包装材が得られた。
【実施例３】
【００２７】
実施例３を説明する。表面フィルム（内袋）として、１５μｍナイロン（Ｎｙ）に蒸着リニア低密度ポリエチレン（ＶＭＬＬＤＰＥ）２０μｍをドライラミネートし、蒸着リニア低密度ポリエチレンのポリエチレン（ＰＥ）面にリニア低密度ポリエチレンを３０μｍエキストルーダーラミを行う。
【００２８】
また、裏面フィルム（内袋）として、前記内袋表面フィルムと同一構成品のものに、内容物が零れない程度のピンホール（微細孔）を空けて裏面フィルムとする。この表面フィルム／裏面フィルムを用いて、「炭、鉄粉、吸水性材料」等のカイロ内容物を充填して、四隅をシールする（サイズ・５０×８０ｍｍ角）。
【００２９】
さらに、この外袋として厚み２０μｍの塩化ビニリデンコート０ＰＰ（ＫＯＰ）／厚み３０μｍの「ビニルアルコール（ＶＡ）含有量１０％のエチレン酢酸ビニル共重合体」ののものでさらに包装する。
【００３０】
この実施例１と実施例２と実施例３（比較品）の比較評価を下記の表１に示す。
【００３１】
【表１】
2006158689.tif 000003
結果は、外袋を使用した従来品同様の使い捨てカイロの包装材は、従来設備で生産可能で優れているが、内袋と外袋の二重包装となり問題点が多く見られた。
【産業上の利用可能性】
【００３２】
本発明のカイロ包装材は二重包装になっている使い捨てカイロの全てに使用することが可能である。また、冷却及び温める湿布材等の包装材に利用することが可能である。
【図面の簡単な説明】
【００３３】
【図１】本発明の一実施例における使い捨てカイロ包装材を示す断面説明図である。
【図２】本発明における上方から見た使い捨てカイロ包装材で、（Ａ）は、表面フィルム及び裏面フィルムの余白部を示す平面説明図であり、（Ｂ）は、微細孔を設けた裏面フィルムの平面説明図である。
【図３】本発明における内容物が充填された使い捨てカイロ包装材の形状状態を示す説明図である。
【符号の説明】
【００３４】
１０……使い捨てカイロの包装材
１１……表面フィルム
１２……裏面フィルム
１２ａ……裏面フィルムの余白部
１５……小孔（ピンホール）
３０……内容物
【図１】
2006158689.tif 000004
【図２】
2006158689.tif 000005
【図３】
2006158689.tif 000006